(57)【要約】【課題】敷石に隣接して、照明器具等の部品を配置すると、荷重の大きい敷石のみが沈下し、荷重の小さい照明器具等は敷石から突出してしまい、全体としての平坦性が損なわれるという問題が生じていた。【解決手段】本発明の敷石体（０１００）は、貫通穴（０１０１）を設け、該貫通穴に段差形状を形成した。これにより、該貫通穴に配された部品は該段差形状により係止されるため、敷石体が沈下した場合であっても、敷石体と部品との位置関係は初期状態を維持したまま沈下する。このため、初期状態にて平坦性を保てば、その後部品等の突出により平坦性が損なわれることがない。【選択図】            図１
2008115603.tif 000002
【特許請求の範囲】
【請求項１】
上面から下面まで連通し，各面の口径が異なる段差状の貫通穴を有することを特徴とする敷石体。
【請求項２】
前記段差は、大きい口径を有する面から小さい口径を有する面に向けて勾配が付けられていることを特徴とする請求項１に記載の敷石体。
【請求項３】
前記段差の一部又は全部に係合する係合蓋をさらに有する請求項１又は２の敷石体。
【請求項４】
平坦に敷き詰めた下地層と、
下地層と発光面が略面一に埋め込まれた照明光源と、
透明な係合蓋が照明光源上に位置するように配置される請求項３に記載の敷石体と、
からなる路面構造体。
【請求項５】
照明光源の発光面側外形は、敷石体の下面開口よりも大きく、照明光源の全部又は一部が貫通穴にすっぽり入らないような外形である請求項４に記載の路面構造体。
【請求項６】
平坦に敷き詰めた下地層と、
内部に植物が根を張るための材料を充填した上面開口と略同形の外形を有する筒状の係合蓋が上面開口にはめ込まれた請求項３に記載の敷石体と、
からなる路面構造体。
【発明の詳細な説明】
【技術分野】
【０００１】
本発明は、舗道、遊歩道、公共広場、車道、玄関アプローチ等に敷設する敷石や舗石等の技術に関するものである。
【背景技術】
【０００２】
近年では、敷石や舗石は、舗道、コミュニティ道路、公園内における通路、玄関アプローチ等、様々な箇所で利用されている。また、敷石は、そのデザイン性の自由度の高さから単なる歩行機能を確保するのみならず、景観形成という重要な役割を担っている場合が多い。このような目的で利用される場合には、敷石と併設して異なる部材の器具、例えば、照明器具等が設けられることが多い。
【０００３】
敷石が敷き並べられた通路に照明器具等を設置するためには、予め当該器具を設置する予定の箇所に当該器具よりも大きめの空間を確保したまま他の箇所の敷石を敷き並べ、その後当該器具を設置し、さらに器具の周りをモルタル等で埋めるという方法をとらなければならなかった。このため、敷石を敷き並べるのみの作業に比べて、作業が極めて煩雑となってしまうという問題が生じていた。
【０００４】
また、上記以外の方法として、敷石を敷き並べた後に敷石の一部を当該器具の形状に削孔し、この孔に当該器具を設置する方法がある。この方法では、敷石自体は通常の敷き並べ方法にて敷き並べることができるが、削孔をする手間がかかり、さらに、削孔時の振動により、周囲の敷石体の平坦性が損なわれる虞がある。そこで、特許文献１では、敷石の内部に空洞部を設け、表面又は底面から空洞部に向けて孔を形成した敷石に関する技術が開示されている。しかし、特許文献１に記載の敷石に設けられた孔は敷石の美観性や透水性の向上を目的として配されたものであり、照明器具等の設置を目的としたものではない。このため、やはり上記のいずれかの方法にて敷石に照明器具を設置しなければならない。
【特許文献１】特開２００５−６８９７１
【発明の開示】
【発明が解決しようとする課題】
【０００５】
上記のいずれの方法で照明器具等を設置した場合でも、図１５に示すように、敷石（１５０１）が敷き並べられた中に円筒状などの貫通穴を設けられ、その貫通穴に当該器具（１５０２）が設置されることになる。しかし、このように当該器具を設置すると、敷石と当該器具との結合性が弱い。このため、敷石上部にかかる荷重や地盤の軟弱さなどにより地盤が沈下してしまった場合に、敷石の沈下量が当該器具の沈下量より大きいと当該器具が敷石の表面よりも突出してしまい、当該器具の沈下量が敷石の沈下量より大きいと当該器具が敷石体に埋没してしまう。したがって、いずれにしても敷石と当該器具との相対的な高さ関係が維持できなくなり、全体としての平坦性や美観性が損なわれるという問題が生じていた。
【０００６】
そこで、本発明では、敷石や舗石等に異なる部材が埋め込まれている場合であっても、敷石と異なる部材との位置関係が変化しない敷石等を提供することを目的とする。さらに、敷石等に異なる部材を埋め込むことで、デザイン性が高い敷石を提供することを目的とする。
【課題を解決するための手段】
【０００７】
上記課題を解決するために、第一発明では、上面から下面まで連通し，各面の口径が異なる段差状の貫通穴を有することを特徴とする敷石体を提供する。第二発明では、前記段差は、大きい口径を有する面から小さい口径を有する面に向けて勾配が付けられていることを特徴とする第一発明に記載の敷石体を提供する。第三発明では、前記段差の一部又は全部に係合する係合蓋をさらに有する第一発明又は第二発明の敷石体を提供する。
【０００８】
第四発明では、平坦に敷き詰めた下地層と、下地層と発光面が略面一に埋め込まれた照明光源と、透明な係合蓋が照明光源上に位置するように配置される第三発明に記載の敷石体と、からなる路面構造体を提供する。第五発明では、照明光源の発光面側外形は、敷石体の下面開口よりも大きく、照明光源の全部又は一部が貫通穴にすっぽり入らないような外形である第四発明に記載の路面構造体を提供する。第六発明では、平坦に敷き詰めた下地層と、内部に植物が根を張るための材料を充填した上面開口と略同径の外径を有する筒状の係合蓋が上面開口にはめ込まれた第三発明に記載の敷石体と、からなる路面構造体を提供する。
【発明の効果】
【０００９】
以上のような構成をとる本発明の敷石体又は路面構造体では、敷石体に段差状の貫通穴を設けることで、敷石体が沈下した場合であっても、当該段差に設けられたモルタルや部品等も共に沈下するため、これらの部材と敷石体との位置関係が初期状態を維持することができる。
【発明を実施するための最良の形態】
【００１０】
以下に、図を用いて本発明の実施の形態を説明する。なお、本発明はこれら実施の形態に何ら限定されるものではなく、その要旨を逸脱しない範囲において、種々なる態様で実施しうる。なお、実施形態１は主として請求項１について説明する。実施形態２は主として請求項２について説明する。実施形態３は主として請求項３について説明する。実施形態４は主として請求項４について説明する。実施形態５は主として請求項５について説明する。実施形態６は主として請求項６について説明する。
【００１１】
≪実施形態１≫
【００１２】
（実施形態１の構成）図１は、本実施形態の敷石体を具体的に例示した斜視図である。図１に示すように、本実施形態の敷石体（０１００）は、段差状の貫通穴（０１０１）を有することを特徴とする。また、図２は、図１のＡ−Ａ断面を示す断面図である。
【００１３】
（実施形態１の構成の説明）「敷石体」（０１００）とは、敷石、舗石、ピンコロ、縁石、タイル、レンガ、疑石、採石、砕石、砂利等の石を素材とするものや、樹脂やセラミックを素材とした擬似レンガや、木を素材とした角材などからなる、敷石そのもの又はこれに類似した機能を備えるものである。本実施形態の敷石体は、段差状の貫通穴を有することを特徴とする。
【００１４】
「貫通穴」（０１０１）は、敷石体（０１００）の上面から下面まで連通し、各面の口径が異なるように構成されている。そして、貫通穴には、各面の口径を繋ぐように敷石体内部にて段差形状を備える。貫通穴は、一つの敷石体に一つの貫通穴を設けることとしても良いし、図１に示すように一つの敷石体に複数の貫通穴を設けることとしても良い。貫通穴は、例えば、敷石体の上下から寸法がそれぞれ異なる孔を開削し連通させることで、中間部に段差形状を容易に形成することができる。
【００１５】
図２を用いて貫通穴の形状を詳細に説明する。図２に示すように、敷石体（０２０１）に設けられた貫通穴（０２０２）の上面の貫通口である上面開口（０２０３）と、下面の貫通口である下面開口（０２０４）とが、段差面（０２０５）にて連通している。各開口は、円形であっても良いし、楕円形であっても良いし、四角形や三角形であっても良い。また、上下の開口の中心位置は一致していても良い、一致しなくても良い。例えば、図３（ａ）に示すように、下面開口（０３０１ａ）の中心位置が上面開口（０３０２ａ）の中心位置よりも相対的に側方にずれて配置されていても良い。また、図２では、上面開口の口径が下面開口の口径よりも大きい場合を示しているが、図３（ｂ）に示すように、上面開口（０３０２ｂ）の口径が下面開口（０３０１ｂ）の口径よりも小さくても良い。また、図３（ｃ）に示すように、貫通穴には複数の段差（０３０３ｃ）を設けても良いし、図３（ｄ）に示すように、貫通穴の一部に凹所を有する段差（０３０４ｄ)を設けても良い。
【００１６】
本実施形態の敷石体では、実施形態３以降にて詳細に説明するように、貫通穴に様々な部品を組み込むことができる。貫通穴に配される部品は、段差にて係止されることで、歩行による敷石体の踏みつけや土の沈下があっても、敷石体と配された部品との位置関係が初期状態（貫通穴に部品を組み込んだ直後の状態）を維持することができる。また、段差形状の高さ位置が定まるため、組み込む部品の調整、交換がしやすく、工場等での部品の生産、組み込みを簡便に行うことができる。
【００１７】
（実施形態１の具体例）図４を用いて、本実施形態における敷石体を具体的に説明する。本実施形態における敷石体（０４００）では、図４（ａ）に示すように、貫通穴（０４０１）の下側に型枠を設置し、下地として敷かれるモルタル（０４０３）等を貫通穴から流し込むと、下地の施工と敷石体の固定を同時に行うことができる。さらに、段差面（０４０２）においてモルタル等と貫通穴との接地面積が大きくなり、敷石体を下地に強固に固定することができる。このとき、上面開口におけるモルタルと敷石体の上面とを段差無く成形する。すると、下地が沈下した場合であっても、下地と強固に固定された敷石体は、下地と共に沈下するため、上面開口にてモルタル等が突出してしまうこともない。なお、上面開口の方が下面開口よりも小さい場合であっても、上記と同様に貫通穴とモルタルとの接地面積は大きくなるため、同様の効果が得られる。
【００１８】
さらに、図４（ｂ）に示すように、貫通穴に土（０４０６）を敷き均して植物等を植えた場合には、植物の成長により、段差の上面（０４０４）と敷石体の下面（０４０５）を挟むように根を成長させることができ、敷石体を下地に強固に固定することができる。また、植物を植えることで、景観に配慮した通路とすることも可能である。
【００１９】
（実施形態１の効果）以上のような構成をとる本実施形態の敷石体では、敷石体に段差状の貫通穴を設けることで、敷石体が沈下した場合であっても、当該段差に設けられたモルタルや部品等も共に沈下するため、これらの部材と敷石体との位置関係が初期状態を維持することができる。このため、初期状態にて敷石体の上面が平坦な状態とすると、その後に平坦性が損なわれることがない。また、当該段差に様々な部品を配したり、植物等を植えたりすることで、景観に配慮した通路を形成することができる。
【００２０】
≪実施形態２≫
【００２１】
（実施形態２の構成）図５（ａ）は、本実施形態の敷石体を具体的に例示した断面図である。図５（ａ）に示すように、本実施形態の敷石体（０５００）は、段差状の貫通穴（０５０１）を有し、当該貫通穴の段差（０５０２）には、勾配が付けられていることを特徴とする。敷石体、貫通穴については実施形態１にて説明済みであるため、説明を省略する。
【００２２】
（実施形態２の構成の説明）本実施形態における貫通穴（０５０１）に設けられた「段差」（０５０２）は、大きい口径を有する面（０５０３）から小さい口径を有する面（０５０４）に向けて勾配が付けられている。すなわち、大きい口径を有する面が上面である場合には、上面から下面に向けて下り勾配が設けられていることになる。例えば、貫通穴に土などの透水性の部材が配された場合には、段差に勾配を設けることで、段差に雨水等が溜まることなく敷石体の下面側へ流れ出すことができる。また、図５（ｂ）に示すように、敷石体の上面及び下面に繋がる貫通穴の面に勾配を設けた段差（０５０２ｂ)としても良いし、図５（ｃ）に示すように、勾配を設けた複数段の段差（０５０２ｃ)としても良い。
また、図６に示すように、貫通穴（０６０２）の大きい口径を有する面（０６０３）が敷石体（０６０１）の下面側であり、小さい口径を有する面（０６０４）が上面側である場合には、モルタル（０６０５）等を流し込むと、勾配が設けられていることで段差の角部まで確実に行き渡らせることができる。なお、当該効果は大きい口径を有する面が上面側であり、小さい口径を有する面が下面側である場合にも同様のことがいえる。
【００２３】
（実施形態２の効果）以上のような構成をとる本実施形態の敷石体では、実施形態１の効果に加えて、より貫通穴と貫通穴に配される部材との結合を強固にすることができるとともに、上面側が大きい口径となるように配した場合には、段差に雨水等が溜まるのを防ぐことができる。
【００２４】
≪実施形態３≫
【００２５】
（実施形態３の構成）図７は、本実施形態の敷石体を具体的に例示した断面図である。図７に示すように、本実施形態の敷石体（０７００）は、段差状の貫通穴（０７０１）を有し、当該貫通穴の段差（０７０２）に係合する係合蓋（０７０３）を有することを特徴とする。敷石体、貫通穴については実施形態１にて説明済みであるため、説明を省略する。
【００２６】
（実施形態３の構成の説明）「係合蓋」とは、貫通穴（０７０１）の段差（０７０２）の一部又は全部に係合するように構成されている。係合蓋は、ガラス、合成樹脂、天然樹脂、金属、石、コンクリートなどを素材とし、接着剤やモルタル等で貫通穴に固定されていることが望ましい。図８を用いて、段差と係合蓋との関係を示す。図８は、敷石体の貫通穴を上面から見たものである。図８（ａ）は、段差（０８０１）の一部に係合する係合蓋（０８０２ａ）を例示しており、図８（ｂ）は、段差の全部に係合する係合蓋（０８０２ｂ）を示している。すなわち、図８（ａ）に示すように、係合蓋は段差の一部を覆うような形状であっても良いし、図８（ｂ）に示すように、段差の全部を覆うような形状であっても良い。また、係合蓋には、雨水を透水させるための透水孔などを設けても良い。
【００２７】
係合蓋は、図７に示したように、貫通穴の全部を覆うような形状であっても良いし、図９（ａ）に示すように、係合蓋（０９０１）は貫通穴の段差面より上部を覆うような形状であっても良いし、図９（ｂ）に示すように、係合蓋（０９０２）は貫通穴の段差面より上部と、段差面より下部の一部を覆うような形状であっても良い。さらに、図９（ｃ）に示すように、敷石体の上面から突出するように係合蓋（０９０３）を配しても良い。
【００２８】
図７から図９に示すように、段差に係合するように係合蓋を配すると、係合蓋のみが沈下してしまうことはない。また、図９（ａ）、（ｂ）のように、係合蓋が貫通穴の段差面から下地までの間に空間を形成するような形状である場合には、仮に敷石体が沈下しても所定の沈下量までは敷石体と係合蓋は一体となって沈下し、敷石体と係合蓋との相対的な位置関係は変わらない。また、図１０に示すように、上面開口が下面開口よりも小さく、これに係合するように係合蓋が設けられた場合においても、通常は敷石体の本体部分（１００１）の方が係合蓋（１００２）よりも重量が大きいため、係合蓋のみ沈下するということはない。そして、敷石体の本体部分が沈下すると、係合蓋は貫通穴の段差にて係合しているため、この部分で敷石体の本体部分の沈下に合わせて下方向の荷重が加わるため、全体として一体となり沈下する。
【００２９】
（実施形態３の具体例）本実施形態の敷石体の係合蓋として配されるものは、具体的には、ガラス、ゴムなどの粘性体、点字鋲、視線誘導鋲、反射板などがある。係合蓋としてガラスを配した場合には、敷石体のデザイン性が向上する。この場合には、実施形態４で説明するように、さらに照明器具を敷石体の下面に配するとガラス面が照明により照らされて、デザイン性が非常に高い敷石体を提供することができる。係合蓋としてゴムなどの粘性体を敷石体の上面と略面一に配した場合には、敷石体の滑り止め機能が増大する。当該敷石体で形成された通路を歩行する場合には、粘性体が滑り止めの機能を果たすためである。また、係合蓋として図９（ｃ）に示したような形状の点字鋲（０９０３）を配することとしても良い。この場合、敷石体には予め貫通穴を有することから点字鋲を容易に、かつ、効率的に敷石体に配置することができる。また、係合蓋として視線誘導鋲や反射板を配した場合には、敷石体を敷き並べて形成した通路の視認性を向上させることができる。
【００３０】
敷石体の貫通穴の形状は、一定形状として形成することが出来るため、貫通穴の段差形状に合わせて、係合蓋を工場等で大量に製造することができる。また、敷石体の貫通穴の段差形状に合致する係合蓋を製造することで、貫通穴へ係合蓋を設置する際の位置調整、高さ調整を容易に行うこともできる。なお、敷石体の貫通穴は実施形態１にて記載したとおり、容易に形成することができるため、設置する係合蓋の形状に合わせた段差形状を予め形成することも可能である。
【００３１】
（実施形態３の効果）以上のような構成をとる本実施形態の敷石体では、敷石体に段差状の貫通穴を設けることで、敷石体が沈下した場合であっても、当該段差に設けられた係合蓋も共に沈下するため、係合蓋と敷石体との位置関係が初期状態を維持することができる。また、当該段差に様々な部品を配したり、植物等を植えたりすることで、景観に配慮した通路を形成することができる。また、貫通穴の段差形状に応じた部品を係合蓋として用いることで、敷石体に設置する部品の位置調整、高さ調整を容易に行うことができる。
【００３２】
≪実施形態４≫
【００３３】
（実施形態４の構成）図１１は、本実施形態の路面構造体を具体的に例示した断面図である。図１１に示すように、本実施形態の路面構造体（１１００）は、下地層（１１０１）、照明光源（１１０２）、敷石体（１１０３）とからなる。
【００３４】
（実施形態４の構成の説明）「路面構造体」とは、路面を構成する構造体である。本実施形態における路面構造体は、図１１に示すように敷石体の下面側から上面側に向けて照明光源が設けられており、デザイン性、視認性が高い路面を構成することができる。
【００３５】
「下地層」は、下地を平坦に敷き詰めるようにして構成されている。下地とは、山土、砂、砂利、クラッシャーラン、砕石、モルタル、均しコンクリートなどからなり、下地層は、これらのいずれか一又は複数が平坦に敷き詰められている。
【００３６】
「照明光源」とは、下地層と発光面が略面一に埋め込まれるように配置された照明の光源である。照明光源は、白熱灯、蛍光灯、水銀灯、発光ＬＥＤ、レーザー光など、種類は限られない。発光面（１１０４）とは、照明光源が光を外部に発している面である。通常は、光源そのものはガラス等で覆われているため、この覆われた面が発光面に該当する。発光面は、下地層と略面一となるように埋め込まれている。このため、照明光源が配されている箇所にて敷石体が浮き上がるということも無い。
【００３７】
「敷石体」とは、実施形態３に記載された係合蓋を有する敷石体である。なお、本実施形態の敷石体は、図１１に示すように、透明な係合蓋（１１０５）が照明光源（１１０２）上に位置するように配置される。「透明な係合蓋」とは、ガラス、プラスチック等の透明な部材で形成された実施形態３に記載の係合蓋である。本実施形態の路面構造体では、係合蓋が透明であり、照明光源上に係合蓋が位置するように敷石体が配置されていることから、路面上から照明光源の光を視認することができる。このため、デザイン性、視認性が高い路面を構成することができる。また、貫通穴下面側の口径より照明光源の口径を小さくすると、両者の間隙から雨水等が流れて地盤に浸透するため、雨水等が溜まってしまうことも無い。さらに、係合蓋は、前記照明光源と空間を設けて個別に配されており、当該空間を有することで、敷石体のみが沈下した場合であっても係合蓋が敷石体の上面から突出してしまうということもなく、全体的な平坦性を損なうこともない。
【００３８】
（実施形態４の効果）以上のような構成をとる本実施形態の路面構造体では、実施形態１から３の敷石体を利用して、さらに、照明光源を敷石体の下地層に備えることで、平坦性を損なうことなく、デザイン性や視認性が高い路面を構成することができる。
【００３９】
≪実施形態５≫
【００４０】
（実施形態５の構成）図１２は、本実施形態の路面構造体を具体的に例示した断面図である。図１２に示すように、本実施形態の路面構造体（１２００）は、下地層（１２０１）、照明光源（１２０２）、敷石体（１２０３）とからなり、照明光源の全部又は一部が貫通穴にすっぽり入らないような外形であることを特徴とする。路面構造体、下地層、敷石体については実施形態４にて説明したものと同様であるため、説明を省略する。
【００４１】
（実施形態５の構成の説明）「照明光源」（１２０２）は、実施形態４に記載の照明光源の構成を基本とするが、本実施形態の照明光源は、その発光面側外形が、敷石体の下面開口よりも大きく、照明光源の全部又は一部が貫通穴にすっぽり入らないような外形であることを特徴とする。発光面側外形とは、発光面（１２０４）を有する側の外形である。すなわち、発光面を含む部分の筺体の外形を指す。図１２に示す発光面側外形は、敷石体の貫通穴の下面開口よりも大きいため、照明光源が貫通穴の下面開口にて係止され、貫通穴にすっぽり入らなくなる。このため、仮に敷石体が沈下した場合には、敷石体の沈下に伴って、照明光源の発行面側外形が下方に押されて敷石体と共に沈下するため、照明光源が貫通穴を抜けて敷石体の表面から突出してしまうということもない。
【００４２】
図１３に照明光源の発光面側外形と貫通穴の下面開口の関係の図１２とは別の具体例を示す。図１３（ａ）、（ｂ）は敷石体の上面側から照明光源の発光面を見た場合の透視図で示した具体例である。また、図１３（ｃ）、（ｄ）は敷石体と照明光源の関係を示す断面図で示した別の具体例である。図１３（ａ）に示すように、下面開口（１３０１）の形状が円形であり、発光面側外形（１３０２）が下面開口よりも大きい円形の場合である。図１３（ｂ）は、下面開口（１３０３）の形状が三角形であり、発光面側外形（１３０４）が下面開口の三角形よりも大きい外形の円形の場合である。下面開口の形状と発光面側外形の組み合わせはこれらに限られず、無数に考えうる。また、図１３（ｃ）に示すように、発光面側外形に鉤状部（１３０５）を設けて、これを敷石体の下面側に引っ掛けることで照明光源（１３０６）の全部が貫通穴にすっぽり入らないようにしても良い。また、図１３（ｄ）に示すように、発光面側外形に鉤状部（１３０７）を設けて、これを敷石体の下面側に引っ掛けることで照明光源（１３０８）が貫通穴にすっぽり入らないようにするが、照明光源の一部は貫通穴の中に入るようにしても良い。
【００４３】
（実施形態５の効果）以上のような構成をとる本実施形態の路面構造体では、実施形態４の効果に加えて、さらに、敷石体と照明光源の位置関係が不変であるため、照明光源が敷石体から突出することもなく、平坦性を保ちながらもデザイン性を向上させることができる。
【００４４】
≪実施形態６≫
【００４５】
（実施形態６の構成）図１４は、本実施形態の路面構造体を具体的に例示した断面図である。図１４に示すように、本実施形態の路面構造体（１４００）は、下地層（１４０１）と、敷石体（１４０２）とからなり、敷石体の貫通穴の上面開口に設けられた係合蓋（１４０３）に特徴を有する。路面構造体、下地層については実施形態４にて説明したものと同様であるため、説明を省略する。
【００４６】
（実施形態６の構成の説明）「敷石体」（１４０２）は、実施形態３に記載の敷石体の構成を基本とするが、本実施形態の敷石体は、内部に植物が根を張るための材料を充填した上面開口と略同形の外形を有する筒状の係合蓋（１４０３）が貫通穴（１４０４）の上面開口にはめ込まれていることを特徴とする。植物が根を張るための材料とは、土、砂、軽石、苔類、パーク、椰子ガラ、樹皮などの天然用土であっても良いし、バーキュライト、バーライト、発泡煉石、ロックウール、ベントナイト、ゼオライトなどの人口用土であっても良い。筒状の係合蓋とは、アルミニウムやステンレスなどの金属製、プラスチック製、セラミックス製などの筒状の係合蓋である。筒の形状は、円筒形状であっても良いし、角筒形状であっても良いし、これ以外の形状でも良いが、敷石体の上面開口と略同形の外形とする。
【００４７】
図１４に示すように、上面開口が下面開口よりも大きくなるように敷石体を配置すると、貫通穴の段差（１４０５）において筒状の係合蓋が係止される。筒状の係合蓋の内部には、植物が根を張るための材料を充填しているため、これに植物を植えて、花壇やプランターとして活用することができる。また、係合蓋が筒状であるため、雨水等はそのまま下地層（１４０１）に吸収される。なお、このとき、下地層は土や礫などの透水性の高い素材であることが望ましい。さらに、筒状の係合蓋は、敷石体の貫通穴の段差により係止されているため、係合蓋の部分だけ敷石体から浮き上がって外れてしまうということも無いし、係合蓋内部の植物の根が下地層にまで達すれば、下地層と敷石体の固定がより強固なものとなる。
さらに、用土を透明なジェル状の物質とし、係合蓋をプラスチックやガラスなどの透明な筒状のものとし、敷石体下面側から植物を照らすように照明光源を設けると、よりデザイン性に優れた路面を形成することができる。
【００４８】
（実施形態６の効果）以上のような構成をとる本実施形態の路面構造体では、実施形態１から３の敷石体を利用して、さらに、係合蓋として筒状の係合蓋を備えることで、景観に配慮したデザイン性の高い路面を構成することができる。
【図面の簡単な説明】
【００４９】
【図１】実施形態１の敷石体の斜視図
【図２】実施形態１の敷石体の断面図
【図３】実施形態１の敷石体の他の形態を例示する図
【図４】実施形態１の敷石体の具体例を説明する図
【図５】実施形態２の敷石体の断面図
【図６】実施形態２の敷石体の他の形態を例示する図
【図７】実施形態３の敷石体の断面図
【図８】係合蓋を説明する図（１）
【図９】係合蓋を説明する図（２）
【図１０】係合蓋を説明する図（３）
【図１１】実施形態４の路面構造体の断面図
【図１２】実施形態５の路面構造体の断面図
【図１３】発光面側外形と下面開口との関係を説明する図
【図１４】実施形態６の路面構造体の断面図
【図１５】従来技術の敷石体の断面図
【符号の説明】
【００５０】
０２０１    敷石体
０２０２    貫通穴
０２０３    上面開口
０２０４    下面開口
０２０５    段差
【図１】
2008115603.tif 000003
【図２】
2008115603.tif 000004
【図３】
2008115603.tif 000005
【図４】
2008115603.tif 000006
【図５】
2008115603.tif 000007
【図６】
2008115603.tif 000008
【図７】
2008115603.tif 000009
【図８】
2008115603.tif 000010
【図９】
2008115603.tif 000011
【図１０】
2008115603.tif 000012
【図１１】
2008115603.tif 000013
【図１２】
2008115603.tif 000014
【図１３】
2008115603.tif 000015
【図１４】
2008115603.tif 000016
【図１５】
2008115603.tif 000017